(57)【要約】【課題】高効率で熱交換を行うことが可能な空気調和機の室内機および空気調和機を提供する。【解決手段】フィン３１と、フィン３１を貫通する断面形状が扁平な複数の扁平伝熱管３２ａ，３２ｂ，３２ｃと、を有する室内熱交換器８Ａと、室内熱交換器８Ａにおいて熱交換された空気を筐体１１の外部に排出する送風機１０と、を備え、複数の扁平伝熱管３２ａ，３２ｂ，３２ｃは、フィン３１の長手方向ｓ１に並んで配置され、一部の扁平伝熱管３２ａ，３２ｂの向きは、長手方向ｓ１に対して直交する方向であり、他部の扁平伝熱管３２ｃの向きは、一部の扁平伝熱管３２ａ，３２ｂの向きと異なり且つ一部の扁平伝熱管３２ｂ１を配置したと仮定した場合よりも通風抵抗を低減する方向を向いている。【選択図】図２
2018128149.tif 000002
【特許請求の範囲】
【請求項１】
複数のフィンと、前記複数のフィンを貫通する断面形状が扁平な複数の扁平伝熱管と、を有する熱交換器と、
前記熱交換器において熱交換された空気を筐体の外部に排出する送風機と、を備え、
前記複数の扁平伝熱管は、前記フィンの長手方向に並んで且つ複数列に配置され、空気導入側に配置される風上側扁平管および前記送風機側に配置される風下側扁平管から成り、
前記風上側扁平管の角度と前記風下側扁平管の角度とが少なくとも一部において異なることを特徴とする空気調和機の室内機。
【請求項２】
請求項１に記載の空気調和機の室内機において、
前記熱交換器は、前記送風機の前側に配置される前側上部熱交換器と、前記前側上部熱交換器の下側に配置される前側下部熱交換器と、を備え、
前記前側上部熱交換器における、前記風上側扁平管の角度と、前記風下側扁平管の一部の角度とが異なることを特徴とする空気調和機の室内機。
【請求項３】
請求項２に記載の空気調和機の室内機において、
前記前側上部熱交換器は、重力方向を０度とした場合、前記風下側扁平管の一部の角度が、前記風下側扁平管の角度より小さいことを特徴とする空気調和機の室内機。
【請求項４】
請求項３に記載の空気調和機の室内機において、
前記風下側扁平管の一部の角度は、４５度未満であることを特徴とする空気調和機の室内機。
【請求項５】
請求項１に記載の空気調和機の室内機において、
前記熱交換器は、前記送風機の前側に配置される前側上部熱交換器と、前記前側上部熱交換器の下方に配置される前側下部熱交換器と、を備え、
前記前側下部熱交換器における前記風上側扁平管の少なくとも一部の角度と前記風下側扁平管の角度とが異なることを特徴とする空気調和機の室内機。
【請求項６】
請求項５に記載の空気調和機の室内機において、
前記前側下部熱交換器は、重力方向を０度とした場合、前記風上側扁平管の少なくとも一部の角度より前記風下側扁平管の角度が大きいことを特徴とする空気調和機の室内機。
【請求項７】
請求項６に記載の空気調和機の室内機において、
前記風上側扁平管の角度は９０度未満、前記風下側扁平管の角度は９０度以上であることを特徴とする空気調和機の室内機。
【請求項８】
請求項１に記載の空気調和機の室内機において、
前記熱交換器は、前記送風機の後側に配置され、一部がバックノーズ部に沿って配置される後側熱交換器を備え、
前記後側熱交換器における前記バックノーズ部に対向する前記風上側扁平管の角度と前記風下側扁平管の角度とが互いに異なることを特徴とする空気調和機の室内機。
【請求項９】
請求項８に記載の空気調和機の室内機において、
前記後側熱交換器は、重力方向を０度とした場合、前記風上側扁平管の角度より前記風下側扁平管の方が角度が大きいことを特徴とする空気調和機の室内機。
【請求項１０】
請求項９に記載の空気調和機の室内機において、
前記風上側扁平管の角度は４５度未満、前記風下側扁平管の角度は４５度以上であることを特徴とする空気調和機の室内機。
【請求項１１】
請求項１に記載の空気調和機の室内機において、
前記熱交換器は、前記送風機の前側に配置される前側上部熱交換器と、前記前側上部熱交換器の下側に配置される前側下部熱交換器と、を備え、
前記前側上部熱交換器と前記前側下部熱交換器との境界における前記風上側扁平管の一部の角度と前記風下側扁平管の角度とが異なることを特徴とする空気調和機の室内機。
【請求項１２】
請求項１１に記載の空気調和機の室内機において、
重力方向を０度とした場合、前記風上側扁平管の一部の角度より前記風下側扁平管の角度が大きいことを特徴とする空気調和機の室内機。
【請求項１３】
請求項１２に記載の空気調和機の室内機において、
前記風上側扁平管の角度は４５度未満、前記風下側扁平管の角度は４５度以上であることを特徴とする空気調和機の室内機。
【請求項１４】
請求項１に記載の空気調和機の室内機において、
前記熱交換器は、前記送風機の前側上部に配置される前側上部熱交換器と、前記送風機の後側上部に配置される後側熱交換器と、を備え、
前記前側上部熱交換器と前記後側熱交換器との境界における前記風下側扁平管の一部の角度と前記風上側扁平管の角度とが異なることを特徴とする空気調和機の室内機。
【請求項１５】
請求項１４に記載の空気調和機の室内機において、
重力方向を０度とした場合、前記風上側扁平管の角度より前記風下側扁平管の一部の角度が大きいことを特徴とする空気調和機の室内機。
【請求項１６】
請求項１５に記載の空気調和機の室内機において、
前記前側上部熱交換器および前記後側熱交換器のそれぞれの前記風下側扁平管の一部は、互いに近づく方向に移動していることを特徴とする空気調和機の室内機。
【請求項１７】
請求項１から請求項１６のいずれか１項に記載の空気調和機の室内機において、
前記扁平伝熱管の向きは、いずれも水平方向ではないことを特徴とする空気調和機の室内機。
【請求項１８】
請求項１から請求項１６のいずれか１項に記載の空気調和機の室内機を備えることを特徴とする空気調和機。
【発明の詳細な説明】
【技術分野】
【０００１】
本発明は、空気調和機の室内機およびこれを備えた空気調和機に関する。
【背景技術】
【０００２】
特許文献１には、メイン熱交換器に加えて、メイン熱交換器と形状が異なるサブ熱交換器を配置し、サブ熱交換器の伝熱管の段ピッチをメイン熱交換器よりも短くした空気調和機が記載されている。
【先行技術文献】
【特許文献】
【０００３】
【特許文献１】特開２０００−３３７６５２号公報
【発明の概要】
【発明が解決しようとする課題】
【０００４】
しかしながら、特許文献１に記載の空気調和機の熱交換器では、サブ熱交換器を設けることにより、サブ熱交換器の下部（空気流れ方向の上流側）にあるメイン熱交換器に空気が通り難くなり、熱交換効率が損なわれる課題がある。
【０００５】
本発明は、前記従来の課題を解決するものであり、高効率で熱交換を行うことが可能な空気調和機の室内機およびこれを備えた空気調和機を提供することにある。
【課題を解決するための手段】
【０００６】
本発明は、複数のフィンと、前記複数のフィンを貫通する断面形状が扁平な複数の扁平伝熱管と、を有する熱交換器と、前記熱交換器において熱交換された空気を筐体の外部に排出する送風機と、を備え、前記複数の扁平伝熱管は、前記フィンの長手方向に並んで且つ複数列に配置され、空気導入側に配置される風上側扁平管および前記送風機側に配置される風下側扁平管から成り、前記風上側扁平管の角度と前記風下側扁平管の角度とが少なくとも一部において互いに異なることを特徴とする。
【発明の効果】
【０００７】
本発明によれば、高効率で熱交換を行うことが可能な空気調和機の室内機およびこれを備えた空気調和機を提供できる。
【図面の簡単な説明】
【０００８】
【図１】第１実施形態に係る空気調和機の冷媒回路を示す構成図である。
【図２】第１実施形態に係る空気調和機の室内機を示す断面図である。
【図３】比較例１に係る空気調和機の室内機を示す断面図である。
【図４】第２実施形態に係る空気調和機の室内機を示す断面図である。
【図５】第３実施形態に係る空気調和機の室内機を示す断面図である。
【図６】比較例２に係る空気調和機の室内機を示す断面図である。
【図７】第４実施形態に係る空気調和機の室内機を示す断面図である。
【図８】第５実施形態に係る空気調和機の室内機を示す断面図である。
【発明を実施するための形態】
【０００９】
以下、本発明の実施形態にについて図面を参照して説明する。なお、各図において共通する部分には同一の符号を付し、重複した説明を省略する。
（第１実施形態）
図１は、第１実施形態に係る空気調和機の冷媒回路を示す構成図である。
図１に示すように、空気調和機１００は、熱源側で室外（非空調空間）に設置される室外機１と、利用側で室内（空調空間）に設置される室内機２（空気調和機の室内機）と、を備え、室外機１と室内機２とが冷媒配管３，３によって繋がれることで構成されている。
【００１０】
室外機１は、圧縮機４と、四方弁５と、室外熱交換器６と、室外ファン７と、膨張弁９と、を備えて構成されている。なお、室外ファン７は、通常、プロペラファンが用いられる。室内機２は、室内熱交換器８（８Ａ，８Ｂ，８Ｃ，８Ｄ，８Ｅ）と、貫流ファンからなる送風機１０と、を備えて構成されている。
【００１１】
次に、空気調和機１００の基本的な動作について暖房運転、冷房運転に分けて説明する。
暖房運転の場合、圧縮機４により圧縮されたガス状態の冷媒が四方弁５を介して室内熱交換器８へ流れ、送風機１０により発生した気流で室内空気と熱交換を行うことで冷媒はガス状態から凝縮して液状態に変化する。液状態となった冷媒は、膨張弁９を介して室外熱交換器６へと流れ、室外ファン７により発生した気流によって室外空気の熱を吸収し熱交換を行うことで、冷媒は液状態から蒸発してガス状態となり圧縮機４に流れる。
【００１２】
冷房運転の場合、四方弁５を切り替えることで冷媒の流れる方向が暖房運転と逆になる。圧縮機４により圧縮されたガス状態の冷媒は四方弁５を介して室外熱交換器６へと流れ込み、室外ファン７により発生した気流で室外空気に熱を放出し熱交換を行うことでガス状態から凝縮して液状態に変化する。液状態となった冷媒は、膨張弁９を介して室内熱交換器８へと流れ、送風機１０により発生した気流で室内空気から熱を吸収し、蒸発することでガス状態となり圧縮機４に流れる。
【００１３】
なお、本実施形態の室内機２を備えた空気調和機１００は、暖房運転モードと冷房運転モードの双方が搭載されたもの、冷房運転モードのみが搭載されたもの、暖房運転モードと冷房運転モードに加えて除湿運転モードが搭載されたものであってもよい。
【００１４】
図２は、第１実施形態に係る空気調和機を示す断面図である。
図２に示すように、室内機２は、室内熱交換器８Ａと、送風機１０と、を備えて構成されている。また、室内機２は、合成樹脂によって横長箱状に成形加工した筐体１１を備え、室内熱交換器８Ａおよび送風機１０を収容している。
【００１５】
送風機１０は、例えば貫流ファンで構成され、複数枚のファンブレード１０ａと円環状の支持板１０ｂとを有し、支持板１０ｂにファンブレード１０ａが周方向に等間隔に配置されることで構成されている。また、送風機１０は、略筒形状を呈し、室内熱交換器８Ａに沿って（図２の紙面垂直方向に沿って）延びている。また、送風機１０は、軸方向の一端が筺体１１側に回転自在に支持され、軸方向の他端が図示しないモータと接続されている。
【００１６】
筐体１１は、上面と前面に室内空気を吸い込む空気吸込口１１ａ，１１ｂと、下面に熱交換により温度および湿度が調和された空気を吹き出す空気吹出口１１ｃと、を備えている。空気吸込口１１ａ，１１ｂには、室内空気を清浄化して筺体１１内に取り込むためのフィルタ１２ａ，１２ｂが取り付けられている。空気吹出口１１ｃには、気流の左右方向を偏向させる図示しない左右風向板と、上下方向に偏向させる上下風向板１３とが取り付けられている。
【００１７】
また、筐体１１は、バックケーシング１４およびフロントケーシング１５を備えている。また、筐体１１の前面には、図示しないモータの駆動力によって、フロントパネル１６が空気吸込口１１ｂを開閉するように回動自在に取り付けられている。
【００１８】
バックケーシング１４は、送風機１０の背面側に位置するとともに、空気吹出口１１ｃに連続して形成され、空気の流路壁面としての湾曲面１４ａを有している。この湾曲面１４ａは、凹面が前方を向くように配設され、空気吹出口１１ｃの縁部から送風機１０に向けて徐々に近づくように湾曲している。
【００１９】
また、バックケーシング１４は、送風機１０と後記する後側熱交換器２３との間に突出するバックノーズ部１４ｂ（リアガイダともいう）を有している。また、バックノーズ部１４ｂの送風機１０側の面１４ｂ１は、湾曲面１４ａと段差無くなだらかな連続面となるように延びている。また、バックノーズ部１４ｂの先端は、後側熱交換器２３の長手方向の略中央に位置する程度まで延びている。また、バックノーズ部１４ｂの送風機１０とは逆側の面１４ｂ２は、後側熱交換器２３と略平行に形成されている。
【００２０】
なお、図示していないが、バックケーシング１４の湾曲面１４ａおよびバックノーズ部１４ｂは、送風機１０の軸方向（紙面垂直方向）に沿って、送風機１０の一端から他端まで対向するように延びている。
【００２１】
また、バックケーシング１４は、バックノーズ部１４ｂの後方に、鉛直方向上方に延びる流路壁面１４ｃが形成されている。また、バックケーシング１４は、バックノーズ部１４ｂと流路壁面１４ｃとの間に、後側熱交換器２３の一部（下半分程）が挿入される凹部１４ｄが形成されている。
【００２２】
フロントケーシング１５は、送風機１０の略前方に位置し、前側下部熱交換器２２の下方近傍において、空気吹出口１１ｃに連続して送風機１０に向けて延びる壁面１５ａを有している。また、フロントケーシング１５の先端には、略矩形状に曲げ形成されたフロントノーズ部１５ｂ（スタビライザともいう）が一体に形成されている。このフロントノーズ部１５ｂは、図示していないが、送風機１０の軸方向（紙面垂直方向）に沿って、送風機１０の一端から他端まで対向するように延びている。
【００２３】
図２に示すように、室内熱交換器８Ａは、送風機１０と、空気吸込口１１ａ、１１ｂとの間で該送風機１０の上流側に配置されている。また、室内熱交換器８Ａは、筺体１１の前後方向の略中央から前側に位置する前側上部熱交換器２１Ａと、この前側上部熱交換器２１Ａの下側に位置する前側下部熱交換器２２と、筺体１１の前後方向の略中央から後側に位置する後側熱交換器２３と、を備えて構成されている。
【００２４】
前側上部熱交換器２１Ａと後側熱交換器２３は、送風機１０の上方で組み合わされて側面視において逆Ｖ字状に配置されている。また、前側上部熱交換器２１Ａと前側下部熱交換器２２は、送風機１０の前方で組み合わされて側面視においてブーメラン状（く字状）に構成されている。
【００２５】
前側上部熱交換器２１Ａは、例えば、アルミニウム製またはアルミニウム合金製の薄板を板厚方向に複数枚並べて構成されたフィン３１（複数のフィン）と、フィン３１を貫通する断面形状が扁平なアルミニウム製、アルミニウム合金製などで形成された扁平管群３２（複数の扁平伝熱管）と、によって構成されている。このように、アルミニウムは、従来の銅製に比べて材料費が安価であり、押出加工性に優れている。
【００２６】
フィン３１は、送風機１０の回転軸（回転中心Ｏ）方向からの側面視において、上端３１ａから下端３１ｂに向けて細長い形状を有している。また、フィン３１の前端３１ｃおよび後端３１ｄは、上端３１ａから下端３１ｂまで前方に向けて傾斜するとともに、前端３１ｃと後端３１ｄとが互いに平行である。また、フィン３１の上端３１ａおよび下端３１ｂは、水平方向に延びるとともに、上端３１ａと下端３１ｂとが互いに平行である。
【００２７】
扁平管群３２は、室内熱交換器８Ａの外側から送風機１０の側に向けて（空気の流れ方向に向けて）、２列（複数列）に構成されている。すなわち、扁平管群３２は、空気が導入される側（空気導入側）に配置される風上側扁平管３２Ａと、送風機１０側に配置される風下側扁平管３２Ｂと、を有している。風上側扁平管３２Ａは、フィン３１の長手方向ｓ１に沿って配置される複数の扁平伝熱管３２ａによって構成されている。風下側扁平管３２Ｂは、フィン３１の長手方向ｓ１に沿って配置される複数の扁平伝熱管３２ｂ，３２ｃによって構成されている。扁平伝熱管３２ｃは、扁平伝熱管３２ｂ，３２ｃの並び方向の上端側に位置するものである。
【００２８】
風上側扁平管３２Ａの扁平伝熱管３２ａおよび風下側扁平管３２Ｂの扁平伝熱管３２ｂ，３２ｃは、それぞれ、対向する平坦部（直線部）と、平坦部（直線部）の一端同士および他端同士を接続する湾曲部と、を備えて構成されている。また、扁平伝熱管３２ａ，３２ｂ，３２ｃの内部は、一方の平坦部の内壁面から他方の平坦部の内壁面に向けて延びる複数の隔壁によって複数の冷媒流路に区画されている。このように、扁平伝熱管３２ａ，３２ｂ，３２ｃの管内を隔壁で区画することで、管内の伝熱面積の拡大が図れ、伝熱性能の向上が図れる。
【００２９】
扁平伝熱管３２ａは、前側上部熱交換器２１Ａの外側に位置し、フィン３１の長手方向ｓ１に沿って並んで配置されている。また、複数の扁平伝熱管３２ａは、隣り合う扁平伝熱管３２ａの間隔がそれぞれ等しく形成されている。なお、隣り合う扁平伝熱管３２ａの間隔は、必ずしも等間隔でなくてもよい。また、複数の扁平伝熱管３２ａは、扁平伝熱管３２ａの長軸方向ｘ１が長手方向ｓ１に対して直交する方向を向いている。
【００３０】
扁平伝熱管３２ｂは、前側上部熱交換器２１Ａの送風機１０側に位置し、フィン３１の長手方向ｓ１に沿って並んで配置されている。また、複数の扁平伝熱管３２ｂは、隣り合う扁平伝熱管３２ｂの間隔が等しく形成されている。なお、隣り合う扁平伝熱管３２ｂの間隔は、必ずしも等間隔でなくてもよい。また、複数の扁平伝熱管３２ｂは、扁平伝熱管３２ｂの長軸方向ｘ１が長手方向ｓ１に対して直交する方向を向いている。
【００３１】
扁平伝熱管３２ｃは、前記した扁平伝熱管３２ａとは長軸方向ｘ２の向きが異なっている。このように、前側上部熱交換器２１Ａにおける風上側扁平管３２Ａの扁平伝熱管３２ａの角度と、風下側扁平管３２Ｂの扁平伝熱管３２ｃの角度とが異なっている。さらに、前側上部熱交換器２１Ａでは、重力方向Ｇを０度とした場合、風上側扁平管３２Ａの扁平伝熱管３２ａの角度θ１０が、風下側扁平管３２Ｂの扁平伝熱管３２ｃの角度θ２０より大きく設定されている。なお、角度θ１０は、重力方向Ｇと扁平伝熱管３２ａの長手方向ｘ１とで成す角度を意味している。また、角度θ２０は、重力方向Ｇと扁平伝熱管３２ｃの長手方向ｘ２とで成す角度を意味している。具体的には、風上側扁平管３２Ａの角度θ１０は、４５度以上、風下側扁平管３２Ｂの扁平伝熱管３２ｃの角度θ２０は、４５度未満に設定される。
【００３２】
これにより、扁平伝熱管３２ｃの向き（長軸方向ｘ２の向き）が前側上部熱交換器２１Ａ（フィン３１の上端３１ａ）の上方から導入される風の流れ方向（矢印Ａ１参照）と略平行に近い向き（矢印Ａ２参照）となるように配置され、空気の流れの曲がり（Ａ１→Ａ２）が小さくなることで抵抗がより小さくなるように構成されている。
【００３３】
また、白抜きの矢印Ａ１，矢印Ａ２および矢印Ａ３で示すように、空気の流れ方向が大きく曲がることなく、前側上部熱交換器２１Ａを通過することができる。
【００３４】
また、扁平伝熱管３２ａ，３２ｂ，３２ｃは、フィン３１に形成された扁平形状の孔に挿通し、ろう付けによってフィン３１に接合される。また、扁平伝熱管３２ａ，３２ｂ，３２ｃを内側から機械的に拡管し、フィン３１をかしめることによって、扁平伝熱管３２ａ，３２ｂ，３２ｃとフィン３１を固定してもよい。なお、フィン３１の長手方向ｓ１の前端３１ｃまたは後端３１ｄにＵ字状に切り欠きを形成して、扁平伝熱管３２ａ，３２ｂ，３２ｃを差し込み、ろう付けによって接合する構成であってもよい。
【００３５】
前側下部熱交換器２２は、例えば、前側上部熱交換器２１Ａと同様な材料で構成された、フィン３３および扁平管群３４によって構成されている。
【００３６】
フィン３３は、送風機１０の回転軸（回転中心Ｏ）の方向からの側面視において、上端３３ａから下端３３ｂに向けて細長い形状を有している。また、フィン３３の前端３３ｃおよび後端３３ｄは、上端３３ａから下端３３ｂに向けて後方に傾斜するとともに、前端３３ｃと後端３３ｄとが互いに平行である。また、フィン３３の上端３３ａおよび下端３３ｂは、水平方向に延びるとともに、上端３３ａと下端３３ｂとが互いに平行である。また、前記したフィン３１の下端３１ｂと、フィン３３の上端３３ａとは、互いに線状に接するように組み合わされている。
【００３７】
扁平管群３４は、室内熱交換器８Ａの外側から送風機１０の側に向けて（空気の流れ方向に向けて）、複数の扁平伝熱管３４ａ，３４ｂによって２列（複数列）に構成されている。すなわち、扁平管群３４は、空気が導入される側（空気導入側）に配置される風上側扁平管３４Ａと、送風機１０側に配置される風下側扁平管３４Ｂと、を有している。風上側扁平管３４Ａは、フィン３１の長手方向ｓ２に沿って配置される複数の扁平伝熱管３４ａによって構成されている。風下側扁平管３４Ｂは、フィン３１の長手方向ｓ２に沿って配置される複数の扁平伝熱管３４ｂによって構成されている。なお、扁平伝熱管３４ａ，３４ｂは、前記した扁平伝熱管３２ａ，３２ｂ，３２ｃと同様に構成されている。
【００３８】
扁平伝熱管３４ａは、前側下部熱交換器２２の外側の列に位置し、フィン３３の長手方向ｓ２に沿って並んで配置されている。また、隣り合う扁平伝熱管３４ａの間隔がそれぞれ等しく形成されている。なお、隣り合う扁平伝熱管３４ａの間隔は、必ずしも等間隔でなくてもよい。また、扁平伝熱管３４ａは、扁平伝熱管３４ａの長軸方向ｘ３が長手方向ｓ２に対して直交する方向を向いている。
【００３９】
扁平伝熱管３４ｂは、前側下部熱交換器２２の送風機１０側に位置し、フィン３３の長手方向ｓ２に沿って並んで配置されている。また、隣り合う扁平伝熱管３４ｂの間隔が等しく形成されている。なお、隣り合う扁平伝熱管３４ｂの間隔は、必ずしも等間隔でなくてもよい。扁平伝熱管３４ｂは、扁平伝熱管３４ｂの長軸方向ｘ３が長手方向ｓ２に対して直交する方向を向いている。
【００４０】
後側熱交換器２３は、例えば、前側上部熱交換器２１Ａおよび前側下部熱交換器２２と同様な材料で構成された、フィン３５および扁平管群３６によって構成されている。すなわち、扁平管群３６は、空気が導入される側（空気導入側）に配置される風上側扁平管３６Ａと、送風機１０側に配置される風下側扁平管３６Ｂと、を有している。風上側扁平管３６Ａは、フィン３１の長手方向ｓ３に沿って配置される複数の扁平伝熱管３６ａによって構成されている。風下側扁平管３６Ｂは、フィン３１の長手方向ｓ３に沿って配置される複数の扁平伝熱管３６ｂによって構成されている。なお、扁平伝熱管３６ａ，３６ｂは、前記した扁平伝熱管３２ａ，３２ｂ，３２ｃと同様に構成されている。
【００４１】
フィン３５は、送風機１０の回転軸（回転中心Ｏ）方向からの側面視において、上端３５ａから下端３５ｂに向けて細長い形状を有している。また、フィン３５の前端３５ｃおよび後端３５ｄは、上端３５ａから下端３５ｂに向けて後方に傾斜するとともに、前端３５ｃと後端３５ｄとが互いに平行である。
【００４２】
扁平管群３６は、室内熱交換器８Ａの外側から送風機１０の側に向けて（空気の流れ方向に向けて）、複数の扁平伝熱管３６ａ，３６ｂによって２列（複数列）に構成されている。
【００４３】
扁平伝熱管３６ａは、後側熱交換器２３の外側に位置し、フィン３５の長手方向ｓ３に沿って並んで配置されている。また、隣り合う扁平伝熱管３６ａの間隔がそれぞれ等しく形成されている。なお、隣り合う扁平伝熱管３６ａの間隔は、必ずしも等間隔でなくてもよい。また、扁平伝熱管３６ａは、扁平伝熱管３６ａの長軸方向ｘ４が長手方向ｓ３に対して直交する方向を向いている。
【００４４】
扁平伝熱管３６ｂは、後側熱交換器２３の送風機１０側に位置し、フィン３５の長手方向ｓ３に沿って並んで配置されている。また、複数の扁平伝熱管３６ｂは、隣り合う扁平伝熱管３６ｂの間隔が等しく形成されている。なお、隣り合う扁平伝熱管３６ｂの間隔は、必ずしも等間隔でなくてもよい。また、扁平伝熱管３６ｂは、扁平伝熱管３６ｂの長軸方向ｘ４が長手方向ｓ３に対して直交する方向を向いている。
【００４５】
また、後側熱交換器２３の上端３５ａと、前側上部熱交換器２１Ａの上端３１ａとは互いに平行であり、いずれも同じ高さ位置に配置されている。
【００４６】
このように構成された室内機２では、フロントパネル１６が開いた状態において、送風機１０が回転することによって、室内空気が空気吸込口１１ａ，１１ｂから導入され、フィルタ１２ａ，１２ｂ、室内熱交換器８Ａ、送風機１０を通って、空気吹出口１１ｃから吹き出される。
【００４７】
このとき、上部の空気吸込口１１ａでは、室内空気が上方から吸い込まれる。空気吸込口１１ａから吸い込まれた室内空気は、前側上部熱交換器２１Ａの前方から吸い込まれ、前側上部熱交換器２１Ａを通ることで、室内空気と扁平伝熱管３２ａ，３２ｂ，３２ｃ内を通る冷媒との間で熱交換が行われる。また、空気吸込口１１ａから吸い込まれた室内空気は、前側下部熱交換器２２の前方から吸い込まれ、前側下部熱交換器２２を通ることで、室内空気と扁平伝熱管３４ａ，３４ｂ内を通る冷媒との間で熱交換が行われる。また、空気吸込口１１ａから吸い込まれた室内空気は、後側熱交換器２３の後方から後側熱交換器２３内に吸い込まれ、室内空気と扁平伝熱管３６ａ，３６ｂ内を通る冷媒との間で熱交換が行われる。
【００４８】
また、空気吸込口１１ｂから吸い込まれた室内空気は、前側上部熱交換器２１Ａの前方から吸い込まれ、前側上部熱交換器２１Ａを通ることで、室内空気と扁平伝熱管３２ａ，３２ｂ，３２ｃ内を通る冷媒との間で熱交換が行われる。また、空気吸込口１１ｂから吸い込まれた室内空気は、前側下部熱交換器２２の前方から吸い込まれ、前側下部熱交換器２２を通ることで、室内空気と扁平伝熱管３４ａ，３４ｂ内を通る冷媒との間で熱交換が行われる。
【００４９】
図３は、比較例１に係る空気調和機を示す断面図である。なお、図３は、第１実施形態、第３実施形態、第４実施形態および第５実施形態に対する比較例をまとめて示している。図３において、白抜きの矢印Ａ２００〜Ａ２２０は第１実施形態に対応する比較例であり、矢印Ａ２３０〜Ａ２６０は第３実施形態に対応する比較例であり、矢印Ａ２７０は第４実施形態に対応する比較例であり、矢印Ａ２８０は第５実施形態に対応する比較例である。
【００５０】
図３に示す室内機２００は、第１実施形態の前側上部熱交換器２１Ａの扁平伝熱管３２ｃ，３２ｃ（図２参照）に替えて、扁平伝熱管３２ｂ，３２ｂを備えたものである。なお、扁平伝熱管３２ｂは、第１実施形態における扁平伝熱管３２ｂと同様な間隔および向きである。その他の構成は、第１実施形態と同様である。
【００５１】
ところで、図３に示すように、比較例として示す室内熱交換器２００では、前側上部熱交換器２１の上方から吸い込まれた室内空気（白抜き矢印Ａ２００参照）が、白抜き矢印Ａ２１０で示すように、扁平伝熱管３２ｂと扁平伝熱管３２ｂとの間を通るように向きを大きく変えて流れる。そして、前側上部熱交換器２１から流出した室内空気は、白抜き矢印Ａ２２０で示すように、送風機１０側に向きを変えて流れる。
【００５２】
また、室内熱交換器２００は、室内機の形状の制約から、板状の形状ではなく、湾曲したり、折れ曲がったりした形状である場合が多い。室内熱交換器２００に扁平伝熱管を適用した場合、扁平伝熱管は、貫流ファン（送風機１０）の回転中心Ｏを向くように角度を揃えて互いに平行に配置される場合が多い。しかし、このとき室内熱交換器２００から貫流ファン（送風機１０）への通風流路（矢印Ａ２２０参照）は角度が大きく変わらないが、室内熱交換器２００の外から室内熱交換器２００に入る空気の通風流路は部位によって大きな角度がつき、これにより室内熱交換器２００での通風抵抗が上昇する。さらに、これだけでなく、扁平伝熱管３２ｂの一部に空気が澱む死水域（図３の○で囲む領域Ｐ）が生じ、熱交換効率が低下する可能性がある。
【００５３】
前記したように、室内空気が前側上部熱交換器２１に入る前（矢印Ａ２００）、熱交換中（矢印Ａ２１０）、前側上部熱交換器２１Ａから出た後（矢印Ａ２２０）において、それぞれ空気の流れの向きが大きく変化している。矢印Ａ２００から矢印Ａ２１０の部分、矢印Ａ２１０から矢印Ａ２２０の部分において、圧力損失が大きくなり、前側上部熱交換器２１の性能低下につながるおそれがある。
【００５４】
そこで、第１実施形態では、図２において扁平伝熱管３２ｃ，３２ｃ（風下側扁平管３２Ｂの一部）として示すように、扁平伝熱管３２ｂとして配置した場合よりも通風抵抗が低減するように扁平伝熱管３２ｃ，３２ｃの向きを扁平伝熱管３２ｂに対して回転させることで変更している。すなわち、前側上部熱交換器２１Ａの手前の空気の流れ方向が矢印Ａ１（Ａ２００と同様）である場合、扁平伝熱管３２ｃ，３２ｃ間を流れる空気の流れ方向が矢印Ａ２となり、前側上部熱交換器２１Ａから出た後では、矢印Ａ３なる。このように、前側上部熱交換器２１Ａ内を通る空気の流れ方向が、前側上部熱交換器２１Ａの手前における空気流れに略沿った方向となるように、扁平伝熱管３２ｃ，３２ｃの向きを変更する。このように、そのままでは通風抵抗が高くなる場所である扁平伝熱管３２ｃ，３２ｃの向きを、通風抵抗が低減するように向きを変えることで、前側上部熱交換器２１Ａにおける熱交換効率を向上させることができ、その結果として、室内熱交換器８Ａの性能を向上した室内機２を実現できる。
【００５５】
以上説明したように、第１実施形態の空気調和機の室内機２は、フィン３１，３３，３５と、フィン３１，３３，３５を貫通する断面形状が扁平な複数の扁平伝熱管３２ａ，３２ｂ，３２ｃ，３４ａ，３４ｂ，３６ａ，３６ｂと、を有する室内熱交換器８Ａと、室内熱交換器８Ａにおいて熱交換された空気を筐体１１の外部に排出する送風機１０と、を備える。また、複数の扁平伝熱管３２ａ，３２ｂ，３２ｃは、フィン３１の長手方向ｓ１に並んで且つ複数列に配置され、空気導入側に配置される風上側扁平管３２Ａおよび送風機１０側に配置される風下側扁平管３２Ｂから成り、風上側扁平管３２Ａ（扁平伝熱管３２ａ）の角度θ１０と風下側扁平管３２Ｂの一部（扁平伝熱管３２ｃ）の角度θ２０とが異なる。これによれば、室内熱交換器８Ａの上方からの空気の流れ抵抗を低減することが可能になり（図２の矢印Ａ２参照）、前側上部熱交換器２１Ａにおける熱交換効率を向上できる。
【００５６】
また、第１実施形態では、前側上部熱交換器３２Ａは、重力方向Ｇを０度とした場合、風下側扁平管３２Ｂの一部（扁平伝熱管３２ｃ）の角度θ２０が風上側扁平管３２Ａの（扁平伝熱管３２ａ）の角度より小さい。これにより、室内熱交換器８Ａの上部における風下側扁平管３２Ｂ（扁平伝熱管３２ｃ）を送風機１０側に向けることが容易になるので、通風抵抗を低減することが可能になる。
【００５７】
また、第１実施形態では、風上側扁平管３２Ａの角度は４５度以上、かつ、風下側扁平管３２Ｂ（扁平伝熱管３２ｃ）の角度は４５度未満である。これにより、室内熱交換器８Ａの上部における風下側扁平管３２Ｂ（扁平伝熱管３２ｃ）を送風機１０側に向けることが容易になるので、通風抵抗を低減し易くなる。
【００５８】
また、第１実施形態の室内機２を空気調和機１００に適用することにより、運転効率に優れた空気調和機１００を実現できる。
【００５９】
なお、第１実施形態では、前側上部熱交換器２１Ａの送風機１０側の列の扁平伝熱管３２ｂ（風下側扁平管３２Ｂ）の向きを変えた場合（向きを変えて３２ｃ，３２ｃとした場合）を例に挙げて説明したが、このような構成に限定されるものではなく、例えば、前側上部熱交換器２１Ａの外側の列の一番上の扁平伝熱管３２ａ（風上側扁平管３２Ａ）の向きを、通風抵抗が低減するように向きを変えてもよく、または後側熱交換器２３の送風機１０側の列の扁平伝熱管３６ｂ（風下側扁平管３６Ｂ）の一番上の扁平伝熱管３６ｂの向きを、扁平伝熱管３２ｃと同様に通風抵抗が低減するように向きを変えてもよい。
【００６０】
（第２実施形態）
図４は、第２実施形態に係る空気調和機を示す断面図である。
図４に示すように、第２実施形態の室内機２は、室内熱交換器８Ｂと送風機１０とを備えている。室内熱交換器８Ｂは、前側上部熱交換器２１、前側下部熱交換器２２Ａおよび後側熱交換器２３を備えている。前側下部熱交換器２２Ａは、例えば、前側上部熱交換器２１Ａと同様な材料で構成された、フィン３３および扁平管群３４によって構成されている。
【００６１】
扁平管群３４は、室内熱交換器８Ｂの外側から送風機１０の側に向けて（空気の流れ方向に向けて）、複数の扁平伝熱管３４ｂ，３４ｃによって２列（複数列）で構成されている。すなわち、扁平管群３４は、空気が導入される側（空気導入側）に配置される風上側扁平管３４Ａと、送風機１０側に配置される風下側扁平管３４Ｂと、を有している。風上側扁平管３４Ａは、フィン３３の長手方向ｓ２に沿って配置される複数の扁平伝熱管３４ｃによって構成されている。風下側扁平管３４Ｂは、フィン３３の長手方向ｓ２に沿って配置される複数の扁平伝熱管３４ｂによって構成されている。なお、扁平伝熱管３４ｂ，３４ｃは、前記した扁平伝熱管３２ａ，３２ｂ，３２ｃと同様に構成されている。
【００６２】
扁平伝熱管３４ｃの長軸方向ｘ３ａは、扁平伝熱管３４ｂの長軸方向ｘ３の向きと異なっている。このように、前側下部熱交換器２２Ａにおける風上側扁平管３４Ａの扁平伝熱管３４ｃの角度θ３０と、風下側扁平管３４Ｂの扁平伝熱管３４ｂの角度θ４０とが異なっている。さらに、前側下部熱交換器２２Ａは、重力方向Ｇを０度とした場合、風上側扁平管３４Ａの扁平伝熱管３４ｃの角度θ３０が、風下側扁平管３４Ｂの扁平伝熱管３４ｂの角度θ４０より小さい。なお、角度θ３０は、重力方向Ｇと扁平伝熱管３４ｃの長手方向ｘ３ａとで成す角度を意味している。また、角度θ４０は、重力方向Ｇと扁平伝熱管３４ｂの長手方向ｘ３とで成す角度を意味している。具体的には、風上側扁平管３４Ａの角度θ３０は、９０度未満、風下側扁平管３４Ｂの扁平伝熱管３４ｂの角度θ４０は、９０度以上に設定される。
【００６３】
扁平伝熱管３４ｃは、前側下部熱交換器２２Ａの外側の列に位置し、フィン３３の長手方向ｓ２に沿って並んで配置されている。また、隣り合う扁平伝熱管３４ｃの間隔がそれぞれ等しく形成されている。また、扁平伝熱管３４ｃは、扁平伝熱管３４ｂと向きが異なり、かつ、扁平伝熱管３４ｂを配置したと仮定した場合（破線で示す扁平伝熱管３４ａ１参照）よりも通風抵抗が低減する方向を向いている。すなわち、図４に示すように、前側下部熱交換器２２Ａの手前側の空気の流れ方向が矢印Ａ４である場合、扁平伝熱管３４ｃ，３４ｃ間を流れる空気の流れ方向が矢印Ａ５であり、扁平伝熱管３４ｂ，３４ｂ間を流れる空気の流れ方向が矢印Ａ６である。
【００６４】
このように、第２実施形態では、前側下部熱交換器２２Ａの手前における空気流れに沿う方向（矢印Ａ４）が、扁平伝熱管３４ｃ，３４ｃを通る空気の流れ方向（矢印Ａ５）になることで、扁平伝熱管３４ｃが破線で示す扁平伝熱管３４ａ１の場合よりも、矢印Ａ４から矢印Ａ５に向きを変えるときの角度が小さくなる。これにより、通風抵抗が低減されるので、死水域（すなわち、熱交換器として効率の悪い部分）の発生を抑えることができ、前側下部熱交換器２２Ａにおける熱交換効率を向上できる。このように、そのままでは通風抵抗が高くなる場所である扁平伝熱管３４ｃ，３４ｃの向きを、通風抵抗が低減するように向きを変えることで、前側下部熱交換器２２Ａにおける熱交換効率を向上させることができ、その結果として、室内熱交換器８Ｂの性能を向上した室内機２を実現できる。
【００６５】
ところで、図４において矢印Ａ４で示すように、ここでの風の流れは、前側下部熱交換器２２Ａの長手方向ｓ２を向き易い。特に、室内機２の筐体１１（図２参照）の形状の制限により、室内機２の正面から空気が供給されない場合は、空気が室内機２の上部からのみ供給される形となるため、特に風の流れが前側下部熱交換器２２Ａの長手方向ｓ２を向き易くなる。そこで、図４に示すように、前側下部熱交換器２２Ａにおいて、外側の列の扁平伝熱管３４ｃの一列すべてを同じ方向を向くように構成したものである。
【００６６】
このように、第２実施形態では、同一列の扁平伝熱管３４ｃのすべてが長手方向ｓ２に対して同じ方向を向いている。これによれば、隣り合う扁平伝熱管３４ｃ，３４ｃのすべてにおいて、前側下部熱交換器２２Ａの手前から扁平伝熱管３４ｃに向かう風向きの角度変化が小さくなるので、通風抵抗を低減することができる。その結果、前側下部熱交換器２２Ａにおける熱交換効率をさらに向上でき、室内熱交換器８Ｂの性能を向上した室内機２を実現できる。
【００６７】
また、角度θ３０が９０度以上、角度θ４０が９０度未満になると、通風抵抗が増加するだけでなく、風向きの変化により、前記したように死水域（図３参照）が発生し、熱交換効率の低下を引き起こすおそれがある。そこで、角度θ３０を９０度未満、角度θ４０を９０度以上にすることが好ましい。これにより、死水域の発生を抑えつつ、通風抵抗を低減することができる。これにより、前側下部熱交換器２２Ａにおける熱交換効率を向上でき、その結果として、室内熱交換器８Ｂの性能を向上した室内機２を実現できる。
【００６８】
なお、第２実施形態では、前側下部熱交換器２２Ａの一列すべての扁平伝熱管３４ｃの向きを変えた場合を例に挙げて説明したが、後側熱交換器２３の外側の列の扁平伝熱管３６ａの一列すべての向きを、後側熱交換器２３の手前を通る風向きから扁平伝熱管３６ａを通る風向きとなる抵抗を低減するように変更してもよい。
【００６９】
（第３実施形態）
図５は、第３実施形態に係る空気調和機を示す断面図である。
図５に示すように、第３実施形態の室内機２は、室内熱交換器８Ｃおよび送風機１０を備えている。室内熱交換器８Ｃは、前側上部熱交換器２１、前側下部熱交換器２２および後側熱交換器２３Ａを備えて構成されている。後側熱交換器２３Ａは、例えば、前側上部熱交換器２１Ａと同様な材料で構成された、フィン３３および扁平管群３６によって構成されている。
【００７０】
扁平管群３６は、後側熱交換器２３Ａの外側から内側（送風機１０の側）に向けて（空気の流れ方向に向けて）、複数の扁平伝熱管３６ａ，３６ｂ，３６ｃ，３６ｄによって２列（複数列）に構成されている。すなわち、扁平管群３６は、空気が導入される側（空気導入側）に配置される風上側扁平管３６Ａと、送風機１０側に配置される風下側扁平管３６Ｂと、を有している。風上側扁平管３６Ａは、フィン３３の長手方向ｓ３に沿って配置される複数の扁平伝熱管３６ａ，３６ｃによって構成されている。風下側扁平管３６Ｂは、フィン３３の長手方向ｓ３に沿って配置される複数の扁平伝熱管３６ｂ，３６ｄによって構成されている。なお、扁平伝熱管３６ａ，３６ｂ，３６ｃ，３６ｄは、前記した扁平伝熱管３２ａ，３２ｂ，３２ｃと同様に構成されている。なお、後側熱交換器２３Ａの外側の列は、５本の扁平伝熱管３６ａと４本の扁平伝熱管３６ｃとで構成されている。後側熱交換器２３Ａの内側の列（送風機１０側の列）は、６本の扁平伝熱管３６ｂと３本の扁平伝熱管３６ｄとで構成されている。
【００７１】
扁平伝熱管３６ａの長軸方向ｘ４は、扁平伝熱管３６ｃの長軸方向ｘ４ａの向きと異なっている。また、扁平伝熱管３６ｂの長軸方向ｘ４は、扁平伝熱管３６ｄの長軸方向ｘ４ｂの向きと異なっている。また、扁平伝熱管３６ａと扁平伝熱管３６ｂは、長軸方向ｘ４が一致している。このように、後側熱交換器２３Ａにおける風上側扁平管３６Ａ（扁平伝熱管３６ｃ）の角度θ７０と、風下側扁平管３６Ｂ（扁平伝熱管３６ｄ）の角度θ８０とが異なっている。さらに、後側熱交換器２３Ａは、重力方向を０度とした場合、風上側扁平管３６Ａの扁平伝熱管３６ｃの角度θ７０より風下側扁平管３６Ｂの扁平伝熱管３６ｄの角度θ８０が大きく設定されている。なお、角度θ７０は、重力方向Ｇと扁平伝熱管３６ｃの長手方向ｘ４ａとで成す角度を意味している。また、角度θ８０は、重力方向Ｇと扁平伝熱管３６ｄの長手方向ｘ４ｂとで成す角度を意味している。具体的には、風上側扁平管３４Ａの角度θ３０は、４５度未満、風下側扁平管３４Ｂの角度θ８０は、４５度以上に設定される。
【００７２】
扁平伝熱管３６ａは、後側熱交換器２３Ａの外側の列に位置し、フィン３５の長手方向ｓ３に沿って並んで配置されている。扁平伝熱管３６ｃは、後側熱交換器２３Ａの外側の列に位置し、フィン３５の長手方向ｓ３に沿って並んで配置されている。扁平伝熱管３６ａは、後側熱交換器２３Ａの上部に配置され、扁平伝熱管３６ｃは、後側熱交換器２３Ａの下部に配置されている。また、扁平伝熱管３６ｃは、バックノーズ部１４ｂと流路壁面１４ｃとの間に位置している。隣り合う扁平伝熱管３６ａの間隔が等しく形成され、隣り合う扁平伝熱管３６ｃの間隔が等しく形成されている。なお、扁平伝熱管３６ａ，３６ｃの間隔は、必ずしも等間隔に限定されない。
【００７３】
扁平伝熱管３６ｂは、後側熱交換器２３Ａの内側（送風機１０側）の列に位置し、フィン３５の長手方向ｓ３に沿って並んで配置されている。扁平伝熱管３６ｄは、後側熱交換器２３Ａの内側（送風機１０側）の列に位置し、フィン３５の長手方向ｓ３に沿って並んで配置されている。扁平伝熱管３６ｂは、後側熱交換器２３Ａの上部に配置され、扁平伝熱管３６ｄは、後側熱交換器２３Ａの下部に配置されている。また、扁平伝熱管３６ｄは、バックノーズ部１４ｂと流路壁面１４ｃとの間に位置している。隣り合う扁平伝熱管３６ｂの間隔が等しく形成され、隣り合う扁平伝熱管３６ｄの間隔が等しく形成されている。なお、扁平伝熱管３６ｂ，３６ｄの間隔は、必ずしも等間隔に限定されない。
【００７４】
また、扁平伝熱管３６ａは、扁平伝熱管３６ａの長軸方向ｘ４がフィン３５の長手方向ｓ３に対して直交する方向を向いている。また、重力方向を０度とした場合、扁平伝熱管３６ａの角度θ５０は、４５度に設定されている。なお、角度θ５０は、４５度に限定されるものではなく、４５度未満であってもよい。また、扁平伝熱管３６ｃは、扁平伝熱管３６ａと向きが異なり、かつ、扁平伝熱管３６ａを配置したと仮定した場合よりも通風抵抗を低減する方向を向いている。
【００７５】
また、扁平伝熱管３６ｂは、扁平伝熱管３６ｂの長軸方向ｘ４がフィン３５の長手方向ｓ３に対して直交する方向を向いている。また、重力方向を０度とした場合、扁平伝熱管３６ｂの角度θ６０は、４５度に設定されている。なお、角度θ６０は、４５度に限定されるものではなく、４５度未満であってもよい。また、扁平伝熱管３６ｄは、扁平伝熱管３６ｂと向きが異なり、かつ、扁平伝熱管３６ｂを配置したと仮定した場合よりも通風抵抗を低減する方向を向いている。
【００７６】
ところで、図３の比較例１に示すように、室内熱交換器２００の背面側には、壁（流路壁面１４ｃ）が存在する。これにより、室内熱交換器２００の外側の空気の流路が制限され、さらに、送風機１０（貫流ファン）による気流を発生させるためのバックノーズ部１４ｂが存在することにより、送風機１０側の空気も制限され易い。図３に示す室内熱交換器２００の後側熱交換器２３は、複数の扁平伝熱管３６ａ，３６ｂを備え、すべての扁平伝熱管３６ａ，３６ｂがフィン３５の長手方向ｓ３に対して直交する方向を向いている。このため、図３の白抜きの矢印Ａ２３０と矢印Ａ２６０で示すように、後側熱交換器２３に入る前後で風向きがほぼ逆方向を向くので、後側熱交換器２３に流入して流出するまでの間に、空気の流れの向きが大きく変化する。
【００７７】
仮に、後側熱交換器２３に流入する前の風向き（矢印Ａ２３０）と、後側熱交換器２３の外側の列の扁平伝熱管３６ａを通過するときの風向き（矢印Ａ２４０）とが成す角度（変化する角度）をθ１００とする。また、後側熱交換器２３の外側の列の扁平伝熱管３６ａを通過するときの風向き（矢印Ａ２４０）と、後側熱交換器２３の送風機１０の側の扁平伝熱管３６ｂを通過するときの風向き（矢印Ａ２５０）とが成す角度（変化する角度）をθ２００とする。また、送風機１０の側の扁平伝熱管３６ｂを通過するときの風向き（矢印Ａ２５０）と、後側熱交換器２３から流出した後の風向き（矢印Ａ２６０）とが成す角度（変化する角度）をθ３００とする。このとき、角度θ１００≒９０度、角度θ２００≒０度、角度θ３００≒９０度となる。ここで、後側熱交換器２３の外側の列の扁平伝熱管３６ａの向きを変えることで、角度θ１００を小さくすることができるが、角度θ２００が増大する。また、角度θ３００は、後側熱交換器２３の外側の列の扁平伝熱管３６ａの向きを変えても変化しない。
【００７８】
そこで、このような場合には、後側熱交換器２３の外側の列の扁平伝熱管３６ａの向きを変えるだけではなく、送風機１０側の列の扁平伝熱管３６ｂの向きを変えることで、空気の流れの向きが成す角度を小さくでき、通風抵抗を低減することができる。
【００７９】
すなわち、図５に示すように、後側熱交換器２３Ａにおける風上側扁平管３６Ａ（扁平伝熱管３６ｃ）の角度θ７０と、風下側扁平管３６Ｂ（扁平伝熱管３６ｄ）の角度θ８０とを異ならせる。さらに、重力方向を０度とした場合、風上側扁平管３６Ａの扁平伝熱管３６ｃの角度θ７０より風下側扁平管３６Ｂの扁平伝熱管３６ｄの角度θ８０を大きくする。具体的には、風上側扁平管３４Ａの角度θ７０を４５度未満、風下側扁平管３４Ｂの角度θ８０を４５度以上に設定する。
【００８０】
これにより、風向き（矢印Ａ７）から風向き（矢印Ａ８）に向かう際の通風抵抗を低減することができる。また、風向き（矢印Ａ９）から風向き（矢印Ａ１０）に向かう際の通風抵抗を低減することができる。よって、後前熱交換器２３Ａにおける熱交換効率をさらに向上でき、その結果として、室内熱交換器８Ｃの性能を向上した室内機２を実現できる。
【００８１】
なお、第３実施形態では、それぞれの扁平伝熱管３６ｃが同じ方向を向いているが、扁平伝熱管３６ｃが異なる方向を向いていてもよい（扁平伝熱管３６ｄについても同様）。
【００８２】
図６は、比較例２に係る空気調和機を示す断面図である。
図６に比較例として示す室内熱交換器３００は、前側下部熱交換器２２の外側の列の扁平伝熱管３４０を水平方向（略水平方向）に向くように構成したものである。ところで、このような向きの扁平伝熱管３４０を備えたものである場合、空気調和機１００（図１参照）を冷房運転させた際に、扁平伝熱管３４０の上部（平坦部）に凝縮水が溜まり易くなる。凝縮水が溜まり易くなると、冷房運転時に室内機の空気吹出口１１ｃから水滴が放出され易くなり、いわゆる「水とび」の原因となる。
【００８３】
そこで、第１実施形態の室内熱交換器８Ａでは、扁平伝熱管３４ａの向き、第２実施形態の室内熱交換器８Ｂでは、扁平伝熱管３４ｃの向き、第３実施形態の室内熱交換器８Ｃでは、扁平伝熱管３４ａの向きが、水平方向（略水平方向）を向かないようにしている。また、扁平伝熱管３４ａ，３４ｃだけではなく、室内熱交換器８Ａの扁平伝熱管３２ａ，３２ｂ，３４ｂ，３６ａ，３６ｂの向き、室内熱交換器８Ｂの扁平伝熱管３２ａ，３２ｂ，３４ｂ，３６ａ，３６ｂの向き、室内熱交換器８Ｃの扁平伝熱管３２ａ，３２ｂ，３４ｂ，３６ａ，３６ｂ，３６ｃ，３６ｄの向きが、それぞれ水平方向（略水平方向）を向かないようにすることが好ましい。これにより、扁平伝熱管３２ａ，３２ｂ，３４ａ〜３４ｃ，３６ａ〜３６ｄに凝縮水が溜り難くなり、「水とび」を抑制することが可能になる。
【００８４】
ところで、図３では、比較例として示す室内熱交換器２００において、前側上部熱交換器２１と前側下部熱交換器２２とが組み合わされた部位における空気の流れを白抜き矢印Ａ２７０において、前側上部熱交換器２１と後側熱交換器２３とが組み合わされた部位における空気の流れを白抜き矢印Ａ２８０において示している。矢印Ａ２７０，Ａ２８０で示す部位では、通風抵抗が小さくなるので、ここに空気の流れが集中すると、他の部位の室内熱交換器２００に流れる空気の量が減少し、室内熱交換器２００の性能が低下するおそれがある。そこで、第４実施形態および第５実施形態では、このように空気の流れが集中し易い部位の扁平伝熱管の一部の向きを、空気の流れを妨げるような向きにすることで、空気の流れの集中を防ぎ、熱交換器としての性能を向上させることができるようにしている。
【００８５】
（第４実施形態）
図７は、第４実施形態に係る空気調和機を示す断面図である。
図７に示すように、第４実施形態の室内機２は、室内熱交換器８Ｄと、送風機１０とを備えている。室内熱交換器８Ｄは、前側上部熱交換器２１Ｂ、前側下部熱交換器２２Ｂおよび後側熱交換器２３を備えている。
【００８６】
前側上部熱交換器２１Ｂは、フィン３１（複数のフィン）および扁平管群３２によって構成されている。すなわち、扁平管群３２は、空気が導入される側（空気導入側）に配置される風上側扁平管３２Ａと、送風機１０側に配置される風下側扁平管３２Ｂと、を有している。風上側扁平管３２Ａは、フィン３１の長手方向ｓ１に沿って配置される複数の扁平伝熱管３２ａ，３２ｄによって構成されている。風下側扁平管３２Ｂは、フィン３１の長手方向ｓ１に沿って配置される複数の扁平伝熱管３２ｂによって構成されている。
【００８７】
複数の扁平伝熱管３２ａ，３２ｄは、フィン３１の長手方向ｓ１に並んで配置されている。扁平伝熱管３２ａの長軸方向ｘ１の向きは、長手方向ｓ１に対して直交する方向を向いている。扁平伝熱管３２ｄの長軸方向ｘ５の向きは、扁平伝熱管３２ａの向きと異なり、かつ、扁平伝熱管３２ａを配置したと仮定した場合（破線で示す扁平伝熱管３２ａ１参照）よりも通風抵抗を高める方向を向いている。換言すると、扁平伝熱管３２ｄは、空気の流れ（矢印Ａ２７０、図３参照）に対して直交する方向に近づく向きとなるように構成されている。
【００８８】
前側下部熱交換器２２Ｂは、フィン３３（複数のフィン）および伝熱管群３４によって構成されている。すなわち、扁平管群３４は、空気が導入される側（空気導入側）に配置される風上側扁平管３４Ａと、送風機１０側に配置される風下側扁平管３４Ｂと、を有している。風上側扁平管３４Ａは、フィン３３の長手方向ｓ２に沿って配置される複数の扁平伝熱管３４ａ，３４ｄによって構成されている。風下側扁平管３４Ｂは、フィン３３の長手方向ｓ２に沿って配置される複数の扁平伝熱管３４ｂによって構成されている。
【００８９】
複数の扁平伝熱管３４ａ，３４ｄは、フィン３３の長手方向ｓ２に並んで配置されている。扁平伝熱管３４ａの長軸方向ｘ３の向きは、長手方向ｓ２に対して直交する方向を向いている。扁平伝熱管３２ｄの長軸方向ｘ６の向きは、扁平伝熱管３４ａの向きと異なり、かつ、扁平伝熱管３４ａを配置したと仮定した場合（破線で示す扁平伝熱管３４ａ１参照）よりも通風抵抗を高める方向を向いている。換言すると、扁平伝熱管３４ｄは、空気の流れ（矢印Ａ２７０、図３参照）に対して直交する方向に近づく向きとなるように構成されている。
【００９０】
このように、前側上部熱交換器２１Ｂと前側下部熱交換器２２Ｂとの境界における風上側扁平管３２Ａの扁平伝熱管３２ｄの角度θ９１と風下側扁平管３２Ｂの扁平伝熱管３２ｂの角度θ１０とが異なっている。また、前側上部熱交換器２１Ｂと前側下部熱交換器２２Ｂとの境界における風上側扁平管３４Ａの扁平伝熱管３４ｄの角度θ９２と風下側扁平管３４Ｂの扁平伝熱管３４ｂの角度θ４０とが異なっている。また、重力方向Ｇを０度とした場合、風上側扁平管３２Ａの扁平伝熱管３２ｄの角度θ９１より風下側扁平管３２Ｂの扁平伝熱管３２ｂの角度θ１０が大きい。さらに、風上側扁平管３２Ａ（扁平伝熱管３２ｄ）の角度θ９１は、４５度未満、風下側扁平管３２Ｂ（扁平伝熱管３２ｂ）の角度は、４５度以上である。また、重力方向Ｇを０度とした場合、風上側扁平管３４Ａの扁平伝熱管３４ｄの角度θ９２より風下側扁平管３４Ｂの扁平伝熱管３４ｂの角度θ４０が大きい。さらに、風上側扁平管３４Ａ（扁平伝熱管３４ｄ）の角度θ９２は、４５度未満、風下側扁平管３４Ｂ（扁平伝熱管３４ｂ）の角度は、４５度以上である。
【００９１】
第４実施形態によれば、そのままでは通風抵抗が低く、熱交換効率が低くなる場所である前側上部熱交換器２１Ｂと前側下部熱交換器２２Ｂとの曲げ部（組み合わせ部）の境界において、扁平伝熱管３２ｄ，３４ｄの向きを、通風抵抗が逆に高まるように向きを変えている。これにより、前側上部熱交換器２１Ｂおよび前側下部熱交換器２２Ｂにおける熱交換効率の低下を抑制することができ、その結果として、室内熱交換器８Ｄの性能を向上した室内機２を実現できる。
【００９２】
（第５実施形態）
図８は、第５実施形態に係る空気調和機を示す断面図である。
図８に示すように、第５実施形態の室内機２は、室内熱交換器８Ｅと、送風機１０とを備えている。室内熱交換器８Ｅは、前側上部熱交換器２１Ｃ、前側下部熱交換器２２および後側熱交換器２３Ｂを備えている。前側上部熱交換器２１Ｃは、例えば、前側上部熱交換器２１Ａと同様な材料で構成された、フィン３１および扁平管群３２によって構成されている。
【００９３】
前側上部熱交換器２１Ｃは、フィン３１（複数のフィン）および扁平管群３２によって構成されている。すなわち、扁平管群３２は、空気が導入される側（空気導入側）に配置される風上側扁平管３２Ａと、送風機１０側に配置される風下側扁平管３２Ｂと、を有している。風上側扁平管３２Ａは、フィン３１の長手方向ｓ１に沿って配置される複数の扁平伝熱管３２ａによって構成されている。風下側扁平管３２Ｂは、フィン３１の長手方向ｓ１に沿って配置される複数の扁平伝熱管３２ｂ，３２ｅによって構成されている。  
【００９４】
また、前側上部熱交換器２１Ｃは、フィン３１（複数のフィン）と、複数の扁平伝熱管３２ａ・・・，３２ｂ・・・，３２ｅと、を有し、前側上部熱交換器２１Ｃの外側から内側（送風機１０側）に向けて２列で構成されている。扁平伝熱管３２ｂ，３２ｅは、フィン３１の長手方向ｓ１に並んで配置されている。扁平伝熱管３２ａ，３２ｂの長軸方向ｘ１の向きは、長手方向ｓ１に対して直交する方向を向いている。扁平伝熱管３２ｅの長軸方向ｘ７の向きは、扁平伝熱管３２ｂの向きと異なり、かつ、扁平伝熱管３２ｂを配置したと仮定した場合（仮想線で示す扁平伝熱管３２ｂ１参照）よりも通風抵抗を高める方向を向いている。換言すると、図３の矢印Ａ２８０で示す空気の流れに対して直交する方向を向いている。
【００９５】
すなわち、扁平伝熱管３２ｅは、まず扁平伝熱管３２ｂを基準として、破線において扁平伝熱管３２ｂ１で示すように通風抵抗が高まるように回転させて向きを変え、さらに、破線において扁平伝熱管３２ｂ２で示すように、通風抵抗がさらに高まるように平行移動したものである。
【００９６】
後側熱交換器２３Ｂは、フィン３５（複数のフィン）および扁平管群３６によって構成されている。すなわち、扁平管群３６は、空気が導入される側（空気導入側）に配置される風上側扁平管３６Ａと、送風機１０側に配置される風下側扁平管３６Ｂと、を有している。風上側扁平管３６Ａは、フィン３５の長手方向ｓ３に沿って配置される複数の扁平伝熱管３６ａによって構成されている。風下側扁平管３６Ｂは、フィン３５の長手方向ｓ３に沿って配置される複数の扁平伝熱管３６ｂ，３６ｅによって構成されている。
【００９７】
また、後側熱交換器２３Ｂは、フィン３５（複数のフィン）と、複数の扁平伝熱管３６ａ・・・，３６ｂ・・・，３６ｅと、を有し、後前熱交換器２３Ｂの外側から内側（送風機１０側）に向けて２列で構成されている。扁平伝熱管３６ａは、フィン３３の長手方向ｓ３に並んで配置されている。扁平伝熱管３６ａ，３６ｂの長軸方向ｘ４の向きは、長手方向ｓ３に対して直交する方向を向いている。扁平伝熱管３６ｅの長軸方向ｘ８の向きは、扁平伝熱管３６ａ，３６ｂの向きと異なり、かつ、扁平伝熱管３６ｂを配置したと仮定した場合（破線で示す扁平伝熱管３６ｂ１参照）よりも通風抵抗を高める方向を向いている。換言すると、図３の矢印Ａ２８０で示す空気の流れに対して直交する方向を向いている。
【００９８】
扁平伝熱管３６ｅは、扁平伝熱管３２ｅと同様に、扁平伝熱管３６ｂを基準として、破線において扁平伝熱管３６ｂ１で示すように通風抵抗が高まるように回転させて向きを変え、さらに、破線において扁平伝熱管３６ｂ２で示すように、通風抵抗がさらに高まるように平行移動したものである。
【００９９】
第５実施形態によれば、そのままでは通風抵抗が低く、熱交換効率が低くなる場所である前側上部熱交換器２１Ｃと後側熱交換器２３Ｂとの組み合わせ部の境界において、上端の扁平伝熱管３２ｅ，３４ｇの向きを、通風抵抗が高まるように向き（回転および平行移動）を変えている。これにより、前側上部熱交換器２１Ｃと後側熱交換器２３Ｂとの組み合わせ部における熱交換効率の低下を抑制することができ、その結果として、室内熱交換器８Ｅの性能を向上した室内機２を実現できる。
【０１００】
なお、本発明は、前記した実施形態に限定されるものではなく、様々な変形例が含まれる。例えば、第１ないし第５実施形態では、室内熱交換器８Ａ〜８Ｅとして、一部の扁平伝熱管３２ａ，３２ｂの向きをフィン３１の長手方向ｓ１に直交する方向、一部の扁平伝熱管３４ａ，３４ｂの向きをフィン３３の長手方向ｓ２に直交する方向、一部の扁平伝熱管３６ａ，３６ｂの向きをフィン３５に長手方向ｓ３に直交する方向としたが、厳密な直交でなくとも、本発明の効果を奏する範囲において、直交からずれていてもよい。
【０１０１】
また、前記した第１ないし第５実施形態では、室内熱交換器８Ａ〜８Ｅとして、扁平伝熱管が２列で構成されたものを例に挙げて説明したが、１列であってもよく、３列以上であってもよい。
【０１０２】
また、第１ないし第３実施形態の複数の実施形態の室内熱交換器８Ａ〜８Ｃを組み合わせて構成してもよい。また、第１ないし第３実施形態と、第４，５実施形態を組み合わせて構成してもよい。
【０１０３】
また、第１ないし第５実施形態では、前側上部熱交換器と前側下部熱交換器が別体で構成された場合を例に挙げて説明したが、ブーメラン状（くの字状）で一体に構成されたものでもよい。また、前側上部熱交換器と後側熱交換器とが一体の構成であってもよい。
【０１０４】
また、送風機１０としては、貫流ファンを例に挙げたが、プロペラファンなどの他の種類の送風機であってもよい。
【０１０５】
また、第１ないし第５実施形態では、前側上部熱交換器と後側熱交換器とが上下方向において重なっていない場合を例に挙げて説明したが、例えば、前側上部熱交換器２１の後端３１ｄと後側熱交換器２３の上端３５ａとが線状に接して重なる構成であってもよい。
【符号の説明】
【０１０６】
２      室内機（空気調和機の室内機）
８，８Ａ，８Ｂ，８Ｃ，８Ｄ，８Ｅ  室内熱交換器（熱交換器）
１０    送風機
１４ｂ  バックノーズ部
２１Ａ，２１Ｂ，２１Ｃ  前側上部熱交換器
２２Ａ，２２Ｂ  前側下部熱交換器
２３Ａ，２３Ｂ  後側熱交換器
３２Ａ，３４Ａ，３６Ａ  風上側扁平管
３２Ｂ，３４Ｂ，３６Ｂ  風下側扁平管
１００  空気調和機
ｓ１，ｓ２，ｓ３  長手方向
ｘ１，ｘ２，ｘ３，ｘ３ａ，ｘ４，ｘ４ａ，ｘ４ｂ，ｘ５，ｘ６，ｘ７，ｘ８  長軸方向
【図１】
2018128149.tif 000003
【図２】
2018128149.tif 000004
【図３】
2018128149.tif 000005
【図４】
2018128149.tif 000006
【図５】
2018128149.tif 000007
【図６】
2018128149.tif 000008
【図７】
2018128149.tif 000009
【図８】
2018128149.tif 000010